(57)【要約】【課題】フィラメント１０，１０Ａの組み付け作業が容易となり、フィラメント１０，１０Ａとリード線２５の接続ミスや接続不良を無くすことができ、また、ＬＥＤ電球２０の点灯時にリード線の影が生じないＬＥＤ電球の光源用フィラメント１０，１０Ａ及びフィラメント型ＬＥＤ電球２０を提供すること【解決手段】プラス電極ピン１６及びマイナス電極ピン１７の両電極ピン１６，１７を透明基板１１の同一端部に設け、同一端部から足のように突出する２本の電極ピン１６，１７でフィラメント１０を自立させる。従来のフィラメント型ＬＥＤ電球２０のようにフィラメント１０を吊り下げるための支柱や、フィラメント１０と支柱を連結する針金状のリード線を省略することが可能となり、フィラメント１０の組み付け作業が容易になる。また針金状のリード線を省略できるので、ＬＥＤ電球２０点灯時に針金状のリード線の影が生じない。【選択図】図１
2019087430.tif 000002
【特許請求の範囲】
【請求項１】
複数個のＬＥＤチップを直列に接続してＬＥＤチップ列を形成し、ＬＥＤチップ列の一端にプラス電極ピン又はマイナス電極ピンを接続し、ＬＥＤチップ列の他端にマイナス電極ピン又はプラス電極ピンを接続し、基板にＬＥＤチップ列を搭載して封止剤で覆い、基板の長手方向の端部からプラス電極ピンとマイナス電極ピンを突出させたＬＥＤ電球の光源用フィラメントであって、
前記プラス電極ピン及びマイナス電極ピンの両電極ピンを基板の長手方向の同一端部に設けたことを特徴とするＬＥＤ電球の光源用フィラメント。
【請求項２】
ＬＥＤチップ列を基板の表面に搭載するとともに、プラス電極ピン又はマイナス電極ピンを基板の端部の表面に設け、
マイナス電極ピン又はプラス電極ピンを基板の端部の裏面に設け、
ＬＥＤチップ列とマイナス電極ピン又はプラス電極ピンを基板の裏面に配線したリード線で接続したことを特徴とする請求項１に記載のＬＥＤ電球の光源用フィラメント。
【請求項３】
ＬＥＤチップ列を基板の表面と裏面に搭載し、両方のＬＥＤチップ列をリード線で接続し、
プラス電極ピン又はマイナス電極ピンを基板の端部の表面に設け、
マイナス電極ピン又はプラス電極ピンを基板の端部の裏面に設けたことを特徴とする請求項１に記載のＬＥＤ電球の光源用フィラメント。
【請求項４】
プラス電極ピンとマイナス電極ピンの形状又は寸法が異なるように形成したことを特徴とする請求項１に記載のＬＥＤ電球の光源用フィラメント。
【請求項５】
光源用フィラメントを覆うグローブの底部にグローブ中に突出する台座を設け、台座にフィラメントを取り付け、グローブの底部外側に口金を取り付け、口金にＬＥＤチップ列を点灯制御する駆動回路を内蔵したフィラメント型ＬＥＤ電球であって、
前記光源用フィラメントとして、複数個のＬＥＤチップを直列に接続してＬＥＤチップ列を形成し、ＬＥＤチップ列の一端にプラス電極ピン又はマイナス電極ピンを接続し、ＬＥＤチップ列の他端にマイナス電極ピン又はプラス電極ピンを接続し、基板にＬＥＤチップ列を搭載して封止剤で覆い、基板の長手方向の同一端部からプラス電極ピンとマイナス電極ピンを露出させた光源用フィラメントを備え、
光源用フィラメントと駆動回路を接続するリード線を台座に埋設し、該リード線の台座から突出する端部にプラス電極ピンとマイナス電極ピンを連結して光源用フィラメントを台座から直立するように取り付けたことを特徴とするフィラメント型ＬＥＤ電球。
【発明の詳細な説明】
【技術分野】
【０００１】
本発明はＬＥＤ電球の光源用フィラメント及びフィラメント型ＬＥＤ電球に関する。
【背景技術】
【０００２】
特開２０１５−２３４６号公報には、ＬＥＤ電球の光源用フィラメントの一形式として、複数個のＬＥＤチップを直列に接続してＬＥＤチップ列を形成し、ＬＥＤチップ列の一端にプラス電極ピン又はマイナス電極ピンを接続し、ＬＥＤチップ列の他端にマイナス電極ピン又はプラス電極ピンを接続し、透明基板にＬＥＤチップ列を搭載して封止剤で覆い、基板の長手方向の一端からプラス電極ピンを突出させ、基板の長手方向の他端からマイナス電極ピンを突出させたフィラメントが開示されている。
【０００３】
特許第５６８９５２４号公報には、上記した光源用フィラメントを覆うグローブの底部に台座と台座からグローブ中に突出する支柱を設け、グローブの底部外側に口金を取り付け、口金にＬＥＤチップ列を点灯制御する駆動回路を内蔵し、フィラメントと駆動回路を接続するリード線で支柱の上端部にフィラメントを連結し、フィラメントを支柱から吊り下げるようにしてグローブ中に直立させたフィラメント型ＬＥＤ電球が開示されている。
【先行技術文献】
【特許文献】
【０００４】
【特許文献１】特開２０１５−２３４６号公報
【特許文献２】特許第５６８９５２４号公報
【発明の概要】
【発明が解決しようとする課題】
【０００５】
上記した従来のフィラメント型ＬＥＤ電球では、フィラメントを支柱の上端部から吊り下げてグローブ中で直立させるため、針金状のリード線をグローブ中に配線し、フィラメントの両端部に設けられている電極ピンと針金状のリード線を溶接している。そのためフィラメントの組み付け作業に時間がかかり、製造コストが高くなる。
とりわけ、フィラメントを複数本設けた場合、多数の針金状リード線をグローブ中に取回すことになるので、フィラメントと針金状のリード線の接続ミスや接続不良が生じ易い。
また、ＬＥＤ電球の点灯時、グローブ内に配線した針金状のリード線の影が生じ、照明効果が損なわれる。
本発明はかかる問題点に鑑み、フィラメントの組み付け作業が容易となり、フィラメントとリード線の接続ミスや接続不良を無くすことができ、また、ＬＥＤ電球の点灯時にリード線の影が生じないＬＥＤ電球の光源用フィラメント及びフィラメント型ＬＥＤ電球を提供することを目的とする。
【課題を解決するための手段】
【０００６】
本発明は、複数個のＬＥＤチップを直列に接続してＬＥＤチップ列を形成し、ＬＥＤチップ列の一端にプラス電極ピン又はマイナス電極ピンを接続し、ＬＥＤチップ列の他端にマイナス電極ピン又はプラス電極ピンを接続し、基板にＬＥＤチップ列を搭載して封止剤で覆い、基板の長手方向の端部からプラス電極ピンとマイナス電極ピンを突出させたＬＥＤ電球の光源用フィラメントであって、
前記プラス電極ピン及びマイナス電極ピンの両電極ピンを基板の長手方向の同一端部に設けたことを特徴とする。
【０００７】
好ましくは、ＬＥＤチップ列を基板の表面に搭載するとともに、プラス電極ピン又はマイナス電極ピンを基板の端部の表面に設け、
マイナス電極ピン又はプラス電極ピンを基板の端部の裏面に設け、
ＬＥＤチップ列とマイナス電極ピン又はプラス電極ピンを基板の裏面に配線したリード線で接続する。
【０００８】
好ましくは、ＬＥＤチップ列を基板の表面と裏面に搭載し、両方のＬＥＤチップ列をリード線で接続し、
プラス電極ピン又はマイナス電極ピンを基板の端部の表面に設け、
マイナス電極ピン又はプラス電極ピンを基板の端部の裏面に設ける。
【０００９】
好ましくは、プラス電極ピンとマイナス電極ピンの形状又は寸法が異なるように形成する。
【００１０】
また、本発明は、
光源用フィラメントを覆うグローブの底部にグローブ中に突出する台座を設け、台座にフィラメントを取り付け、グローブの底部外側に口金を取り付け、口金にＬＥＤチップ列を点灯制御する駆動回路を内蔵したフィラメント型ＬＥＤ電球であって、
前記光源用フィラメントとして、複数個のＬＥＤチップを直列に接続してＬＥＤチップ列を形成し、ＬＥＤチップ列の一端にプラス電極ピン又はマイナス電極ピンを接続し、ＬＥＤチップ列の他端にマイナス電極ピン又はプラス電極ピンを接続し、基板にＬＥＤチップ列を搭載して封止剤で覆い、基板の長手方向の同一端部からプラス電極ピンとマイナス電極ピンを露出させた光源用フィラメントを備え、
光源用フィラメントと駆動回路を接続するリード線を台座に埋設し、該リード線の台座から突出する端部にプラス電極ピンとマイナス電極ピンを連結して光源用フィラメントを台座から直立するように取り付ける。
【発明の効果】
【００１１】
本発明によれば、プラス電極ピン及びマイナス電極ピンの両電極ピンを基板の同一端部に設けたので、同一端部から足のように突出する２本の電極ピンでフィラメントを自立させることができる。そのため、従来のフィラメント型ＬＥＤ電球のようにフィラメントを吊り下げるための支柱や、フィラメントと支柱を連結する針金状のリード線を省略することが可能となり、フィラメントの組み付け作業が容易になる。また針金状のリード線を省略できるので、ＬＥＤ電球点灯時に針金状のリード線の影が生じない。
【図面の簡単な説明】
【００１２】
【図１】本発明の第１実施例に係るＬＥＤ電球の光源用フィラメントを示す正面から見た斜視図である。
【図２】同フィラメントを示す背面から見た斜視図である。
【図３】同フィラメントを備えたフィラメント型ＬＥＤ電球の構成を示す模式的説明図である。
【図４】本発明の第２実施例に係るＬＥＤ電球の光源用フィラメントを示す正面から見た斜視図である。
【図５】同フィラメントを示す背面から見た斜視図である。
【実施例１】
【００１３】
以下に本発明を図面に基づき説明する。図１及び図２に本発明の第１実施例に係るＬＥＤ電球の光源用フィラメント１０が示されている。当該フィラメント１０はガラス製、合成樹脂製またはフィルム製の透明基板１１を備えている。この透明基板１１の表面に複数個のＬＥＤチップ１２が透明接着剤で固着され、隣接するＬＥＤチップ１２どうしをリード線１３で直列に接続してＬＥＤチップ列１４が形成されている。透明基板１１の表裏両面とＬＥＤチップ列１４は、発光粉とシリカゲル、エポキシ樹脂等の透明媒体の混合物から成る封止剤を塗布して形成した封止剤層１５で被覆されている。
【００１４】
透明基板１１の長手方向の下端部の表面にはプラス電極ピン１６が固着されている。プラス電極ピン１６はＬＥＤチップ列１４の一端に接続され、プラス電極ピン１６の先端部１６ａが封止剤層１５から突出している。
【００１５】
透明基板１１の長手方向の下端部の裏面にはマイナス電極ピン１７が固着され、透明基板１１の表面に設けたＬＥＤチップ列１４とマイナス電極ピン１７が透明基板１１の裏面に配線したリード線１３ａで接続されている。このリード線１３ａは透明基板１１の上端部を跨いで配線され、封止剤層１５で覆われている。また、マイナス電極ピン１７の先端部１７ａが封止剤層１５から突出している。
【００１６】
図３にフィラメント１０を光源として備えたフィラメント型ＬＥＤ電球２０を示す。当該フィラメント型ＬＥＤ電球２０は、一本のフィラメント１０と、フィラメント１０を覆う透明なガラス製グローブ２１を備え、グローブ２１の底部内側に台座２２が一体成形され、グローブの底部外側に口金２３が装着され、口金２３の内部にフィラメント１０を点灯制御する駆動回路２４が内蔵されている。
【００１７】
台座２２は中実構造の上部２２ａと、上部２２ａと一体で中空構造の下部２２ｂから成り、下部２２ｂの内部に電球製造時グローブ２１内の空気を排出し、空気を排出した後にヘリウムガス等の不活性ガスをグローブ２１中に充填するための排気通路を構成する排気管２２ｃが上部２２ａから垂設されている。排気管２２ｃの上端開口２２ｄが台座の上部２２ａの側面に配置され、下端開口２２ｅがグローブ２１の底面から突出している。台座２２の下端にはスカート部２２ｆが形成されている。
【００１８】
フィラメント１０と駆動回路２４を接続する２本の針金状リード線２５が台座２２を貫通し、両リード線２５の先端部が台座２２の頂部から突出している。フィラメント１０のプラス電極ピン１６の先端部１６ａが一方のリード線２５の先端部に溶接され、マイナス電極１７の先端部１７ａが他方のリード線２５の先端部に溶接されている。フィラメント１０はプラス電極ピン１６及びマイナス電極ピン１７を針金状リード線２５の先端部に溶接することにより台座２２から直立するように台座２２に取り付けられている。
【００１９】
本実施例に係るＬＥＤ電球２０の光源用フィラメント１０及び同フィラメント１０を備えたフィラメント型ＬＥＤ電球２０の構造は以上の通りであって、プラス電極ピン１６及びマイナス電極ピン１７の両電極ピン１６，１７を透明基板１１の同一端部に設けたので、同一端部から足のように突出する２本の電極ピン１６，１７でフィラメント１０を自立させることができる。そのため、従来のフィラメント型ＬＥＤ電球２０のようにフィラメント１０を吊り下げるための支柱や、フィラメント１０と支柱を連結する針金状のリード線を省略することが可能となり、フィラメント１０の組み付け作業が容易になる。また針金状のリード線を省略できるので、ＬＥＤ電球２０点灯時に針金状のリード線の影が生じない。
【実施例２】
【００２０】
本発明の第２実施例に係るＬＥＤ電球２０の光源用フィラメント１０Ａを図４及び図５に示す。当該フィラメント１０Ａの透明基板１１の表面と裏面にＬＥＤチップ列１４が固着され、両ＬＥＤチップ列１４が透明基板１１の上端部を跨ぐリード線１３ｂで接続されている。透明基板１１の下端部の表面にプラス電極ピン１８が固着され、透明基板１１の表面に固着したＬＥＤチップ列１４に接続されている。また、透明基板１１の下端部の裏面にマイナス電極ピン１９が固着され、透明基板１１の裏面に固着したＬＥＤチップ列１４に接続されている。プラス電極ピン１８とマイナス電極ピン１９の形状、寸法が本実施例ではプラス電極ピン１８の先端部１８ａの幅をマイナス電極ピン１９の先端部１９ａの幅より狭く形成することにより、異なるように形成されている。
なお、本実施例にかかるフィラメント１０Ａの他の構成は第１実施例に係るフィラメント１０と同じであるので、統一の構成要素に同一の符号を付して説明を省略する。
【００２１】
第２実施例に係るフィラメント１０Ａによれば、透明基板１１の表裏両面にＬＥＤチップ列１４を配置したので、フィラメント１０Ａの点灯時の輝度を高めることができる。
また、プラス電極ピン１８とマイナス電極ピン１９の形状、寸法を異ならしめたので、フィラメント１０Ａをリード線２５に接続するときの接続ミスを防ぐことができる。
【００２２】
なお、上記第1実施例及び第２実施例に係るフィラメント１０，１０Ａでは、プラス電極ピン１６，１８及びマイナス電極ピン１７，１９をリード線２５に溶接して連結したが、台座２２にプラス電極ピン１６，１８及びマイナス電極ピン１７，１９の先端部１６ａ、１７ａ、１８ａ、１９ａが嵌入する差込口を設けて、リード線２５に連結することもできる。
また、本実施例に係るフィラメント型ＬＥＤ電球２０では、光源として、1本のフィラメント１０を設けたが、複数本のフィラメント１０を設けることもできる。
【符号の説明】
【００２３】
１０，１０Ａ…ＬＥＤ電球の光源用フィラメント
１１…透明基板
１２…ＬＥＤチップ
１３，１３ａ，１３ｂ…リード線
１４…ＬＥＤチップ列
１５…封止剤層
１６，１８…プラス電極ピン
１６ａ、１７ａ、１８ａ、１９ａ…先端部
１７，１９…マイナス電極ピン
２０…フィラメント型ＬＥＤ電球
２１…グローブ
２２…台座
２３…口金
２４…駆動回路
２５…針金状リード線
【図１】
2019087430.tif 000003
【図２】
2019087430.tif 000004
【図３】
2019087430.tif 000005
【図４】
2019087430.tif 000006
【図５】
2019087430.tif 000007